(57)【要約】      （修正有）【課題】塗料が排出されるに伴い、閉鎖空間内圧が次第に低下しても、開口部から閉鎖空間に外部空気が自然吸引されて復圧する重力式スプレーガンの提供。【解決手段】上向きに容易に自立する容器２の開口部に上から塗料４を安定して装填し、装填後の容器２にカップ１を上から被せて充分に挿入嵌合一体化してから双方上下逆転するため落下、転倒しても双方分離しないので、内包された塗料４が周囲に飛散せず、容器２の選択により、カップ１容量にかかわらず、塗料４の装填量を加減できる重力式スプレーガン。【選択図】図１
2017144416.tif 000002
【特許請求の範囲】
【請求項１】
塗料カップの内径より小さい外径の、塗料を装填した容器の開口部が、そのカップ内底部の塗料排出孔に向けてカップに挿入嵌合されて構成する閉鎖空間の塗料排出に伴う内圧低下に、開口部から空気が自然吸引される重力式スプレーガン。
【請求項２】
挿入嵌合されたカップと容器の間隔が一部において開口部からカップ上端まで、より大きく離間した間隙のある請求項１の重力式スプレーガン。
【請求項３】
カップ内面周囲にメッシュを付設してカップと容器を離間させた請求項１の重力式スプレーガン。
【発明の詳細な説明】
【技術分野】
【０００１】本発明は、パスカルの原理をよりどころとしており、塗料を貯留する役割のカップの内径より小さい外径の容器内に塗料を装填し、開口部をカップ内底部の塗料排出孔に向けてカップに挿入嵌合して、双方による閉鎖空間に塗料を内包させ、そうして、連結するエアコンプレッサー作動によりその塗料が作業排出されるに伴い、閉鎖空間内圧が次第に低下し、しだいに排出困難となる、に対応して、開口部から閉鎖空間に外部空気が自然吸引されて復圧する機能の重力式スプレーガンに関する
【背景技術】
【０００２】従来の重力式スプレーガンは上向きの塗料カップに上から塗料を装填後、多くの場合、上部中央に小さな穴のあいた浅い蓋を単に被せるなどしていた。【０００３】そして、転倒し易い不安定な下部形状であった。
【発明の開示】
【発明が解決しようとする課題】
【０００４】従来の重力式スプレーガンは上向きのカップの限られた容積ゆえに、カップ内への塗料装填量も限定されるため、補給頻度が上がり、煩雑であり、また、スプレーガン転倒時、単に被せた浅い蓋は外れやすく、カップ内塗料が飛散したりしていた【０００５】そして、不安定な下部形状のため、単体では自立不能であり、塗料補給時その安定確保が困難であった。
【課題を解決するための手段】
【０００６】本発明は、以上の問題解決のため、上向きに容易に自立する下部形状の容器の開口部に、上から塗料を装填し、装填後の容器にカップを上から被せて充分に挿入嵌合一体化してから双方上下逆転して、嵌合による閉鎖空間に塗料を内包させ、カップ内径と容器外径が近接してその間の空気の流通が不十分な場合には、挿入嵌合したカップ側一部内面が外側にふくらむ形状、または容器側がカップ側内面よりも内に離れる形状の一部外面、あるいはその両方の形状により、カップと容器の間隔が一部において開口部からカップ上端まで、より大きく離間する間隙を空気吸入経路とし、またはカップ内面周囲にメッシュを付設してから容器を挿入してカップと容器を離間させ、メッシュが織り成す開口部からカップ上端までの空間を、空気吸入域とするものである。【０００７】そうして、連結するエアコンプレッサー作動によりその内包塗料が次第に作業排出されて閉鎖空間内圧が低下していくに伴い、外部空気が前記挿入嵌合したカップと容器の間を通り、開口部から閉鎖空間内に自然吸引されて復圧する機能としている。
【発明の効果】
【０００８】本発明は、カップに挿入嵌合した容器の一部をカップ外にまで増大させた容積により、カップの限られた容量に限定されることのない塗料装填量を可能とするので補給頻度が下がり、また、その容器が、安定した下部形状として自立させ、その上から塗料を装填すれば容易な塗料装填操作となり、装填後、カップ内への適宜深度の挿入を可能としたその容器に、カップを上から被せて充分に挿入嵌合一体化してから双方上下逆転して塗装作業態勢とすれば、双方による閉鎖空間に塗料が内包されて、万一落下、転倒しても双方分離しにくく、塗料が周囲に飛散せず、そうして、連結するエアコンプレッサー作動によりその内包された塗料が底部の塗料排出孔から作業排出されるに伴い、閉鎖空間内圧が低下し、しだいに排出困難となる、に対応して、外気がカップ内径と容器外径の差の隙間を通り、開口部から閉鎖空間内に自然吸引されて復圧する機能としており、また、その差の隙間が密接して空気の流入が不十分である場合、双方間に開口部からカップ上端まで、前記、より大きく離間した間隙の空気吸入経路を設け、またはカップ内面周囲にメッシュを付設してから容器を挿入してカップと容器を離間させれば、メッシュが織り成すカップ上端までの空間確保が空気吸入域として復圧機能を有する重力式スプレーガンとなり、そのメッシュや容器を安価なプラスチック素材等とすれば、使い捨てによる時間的経済性を優先することが出来る。
また、より大きく離間した間隙の空気吸入経路は円筒形カップ内に角柱形容器の挿入嵌合によっても構成される。【０００９】また、パスカルの原理のとおり、前記、内包された塗料は、上向きのカップの上端を越えた塗料装填レベルでも、カップ内底部の塗料排出孔に向けて挿入嵌合した開口部を上限として、それ以上には外部に溢れ出ない。これは、浅い皿の水に、水を満たした逆向けのペットボトルの口を付ければ中の水は大気圧と水圧のバランスにより、静止状態となると同様である。【００１０】開口部は、塗料装填と排出のために開放されており、以前、容器の上下に大小の開口部を設け、上部の大開口部側から塗料充填し、下部の小開口部側を塗料排出口として、充填時自立不能の容器をカップ内に格納するという、パスカルの原理に沿わない機能の市販品も見られた。【００１１】パスカルの原理に沿う限りにおいて、容器の底部を着脱自在の気密蓋として、塗装作業終了後、底部からの洗浄管理が容易な構造とし、また、開口部に着脱自在の嵌合蓋を取り付けて運搬移動対応とした複数のそれら容器にあらかじめ塗料を装填，封入して、塗装現場にて、順次開封補充交換すれば、いっそうの能率化が可能となる。
【実施するための最良の形態】
【００１２】本発明の実施の一例の形態を図１、図２、図３に基づいて説明する。
【００１３】  カップ１の内径より小さい外径の容器２の底部２２をカップ外にまで突出させて容積増大した容器２の開口部２１がそのカップ内底部の塗料排出孔１１に向けて挿入嵌合して、双方による閉鎖空間３に塗料４を内包し、そうして、図示外の連結するエアコンプレッサー作動により、塗料４が塗料排出孔１１から作業排出されるに伴い、閉鎖空間３内圧が次第に低下して、しだいに排出困難となる、に対応して、外気がカップ１内径と容器２外径の差の隙間を通り、開口部２１から閉鎖空間３内に自然吸引され、加えて、開口部２１からカップ１上端まで、カップ１側の間隙１１１、容器２側の間隙２１１のより大きく離間した空気吸入経路から外気が自然吸入され、あるいは、カップ１内面周囲にメッシュ６を付設してから容器２を挿入してカップ１と容器２を離間させてメッシュ６が織り成すカップ１上端までの確保空間を空気吸入域としている。
【図面の簡単な説明】
【図１】カップ１側間隙１１１、容器２側間隙２１１、を共に設けた場合の、上向きのカップに、透明のプラスチック素材による、底部２２がカップ外にまで突出して容積増大させた容器を嵌合した実施形態を示す概略図。
【図２】容器１側とカップ２側、の間隙１１１，２１１が、偶然対面一体化した形態を示す平面概略断面図。
【図３】カップ１と容器２の間にメッシュ６がある概略断面図。
【符号の説明】
【００１４】    １      カップ
２      容器
３      閉鎖空間
４      塗料
６      メッシュ
１１    塗料排出孔
２１    開口部
２２    底部
１１１  カップ側間隙
２１１  容器側間隙
【図１】
2017144416.tif 000003
【図２】
2017144416.tif 000004
【図３】
2017144416.tif 000005